(57)【要約】【課題】対象物に対して処理を行う複数の処理装置が使用される場合において、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなるようにする。【解決手段】処理装置は、対象物を処理する処理手段と、当該対象物と同一の対象物を処理する機能を有する他の処理装置と自装置との配置関係を認識する認識手段と、自装置における、ユーザの操作を必要とする事象の発生を、ユーザに知らせるための音を発する報知手段と、を有する。報知手段は、自装置にて当該事象が発生した場合、当該配置関係が第１配置関係であるときには第１音を発し、当該配置関係が第１配置関係とは異なる第２配置関係であるときには第１音とは異なる第２音を発する。【選択図】図１
2020131432.tif 000002
【特許請求の範囲】
【請求項１】
対象物を処理する処理手段と、
前記対象物と同一の対象物を処理する機能を有する他の処理装置と自装置との配置関係を認識する認識手段と、
自装置における、ユーザの操作を必要とする事象の発生を、ユーザに知らせるための音を発する報知手段と、
を有し、
前記報知手段は、自装置にて前記事象が発生した場合、前記認識手段により認識される前記配置関係が第１配置関係であるときには第１音を発し、前記配置関係が前記第１配置関係とは異なる第２配置関係であるときには前記第１音とは異なる第２音を発する、
処理装置。
【請求項２】
自装置と前記他の処理装置とを互いに入れ替えることで、前記配置関係が変更される、
ことを特徴とする請求項１に記載の処理装置。
【請求項３】
自装置と前記他の処理装置は、同一の対象物を順次処理するように互いに接続されている、
ことを特徴とする請求項１又は請求項２に記載の処理装置。
【請求項４】
前記処理手段は、印刷する機能を有し、
前記他の処理装置は、印刷する機能を有し、
前記処理手段と前記他の処理装置は、前記同一の対象物としての同一の記録媒体に順次印刷を行う、
ことを特徴とする請求項３に記載の処理装置。
【請求項５】
自装置と前記他の処理装置は、それぞれ異なる処理装置群に属しており、
同一の処理装置群に含まれる複数の処理装置は、同一の対象物を順次処理するように互いに接続されている、
ことを特徴とする請求項１又は請求項２に記載の処理装置。
【請求項６】
自装置が属する処理装置群と前記他の処理装置が属する処理装置群は、それぞれ印刷装置を含み、
自装置と前記他の処理装置は、それぞれが属する処理装置群に含まれる印刷装置の下流側に設置された後処理装置である、
ことを特徴とする請求項５に記載の処理装置。
【請求項７】
自装置が属する処理装置群と前記他の処理装置が属する処理装置群と、それぞれ印刷装置を含み、
自装置と前記他の処理装置は、それぞれが属する処理装置群に含まれる印刷装置の上流側に設置された前処理装置である、
ことを特徴とする請求項５に記載の処理装置。
【請求項８】
前記第１音と前記第２音は、前記配置関係を表す音と前記事象の発生を表す音との連続によって構成されている、
ことを特徴とする請求項１又は請求項２に記載の処理装置。
【請求項９】
前記報知手段は、前記事象の発生を表す音の音程を前記配置関係に応じて変更する、
ことを特徴とする請求項８に記載の処理装置。
【請求項１０】
自装置と前記他の処理装置は、同一の対象物を順次処理するように互いに接続されており、
前記報知手段は、自装置と前記他の処理装置との間における処理の上下流の関係を、音階の高さ又は音程の上下によって表現する、
ことを特徴とする請求項８又は請求項９に記載の処理装置。
【請求項１１】
自装置と前記他の処理装置は、それぞれ異なる処理装置群に属しており、
同一の処理装置群に含まれる複数の処理装置が、同一の対象物を順次処理するように互いに接続されており、
前記報知手段は、自装置にて前記事象が発生した場合、更に、自装置が属する処理装置群を音の発生数で表現する、
ことを特徴とする請求項８又は請求項９に記載の処理装置。
【請求項１２】
対象物を処理する処理手段と、
前記対象物と同一の対象物を処理する機能を有する他の処理装置のよる処理の順番と、前記処理手段による処理の順番とを認識する認識手段と、
自装置における、ユーザの操作を必要とする事象の発生を、ユーザに知らせるための音を発する報知手段と、
を有し、
前記報知手段は、自装置にて前記事象が発生した場合、前記認識手段により認識される前記処理手段による処理の順番が前記他の処理装置による処理の順番よりも先のときには第１音を発し、前記他の処理装置による処理の順番が前記処理手段による処理の順番によりも先のときには前記第１音とは異なる第２音を発する、
処理装置。
【請求項１３】
対象物を処理する機能を有する第１処理装置と、
前記対象物と同一の対象物を処理する機能を有する第２処理装置と、
前記第１処理装置と前記第２処理装置との配置関係を認識する認識手段と、
を含み、
前記第１処理装置は、前記第１処理装置における、ユーザの操作を必要とする事象の発生を、ユーザに知らせるための音を発する第１報知手段を有し、
前記第２処理装置は、前記第２処理装置における、ユーザの操作を必要とする事象の発生を、ユーザに知らせるための音を発する第２報知手段を有し、
前記第１報知手段は、前記第１処理装置にてユーザの操作を必要とする事象が発生した場合、前記認識手段により認識される前記配置関係が前記第１配置関係であるときには第１音を発し、前記配置関係が前記第１配置関係とは異なる第２配置関係であるときには前記第１音とは異なる第２音を発し、
前記第２報知手段は、前記第２処理装置にてユーザの操作を必要とする事象が発生した場合、前記認識手段により認識される前記配置関係が前記第１配置関係であるときには前記第２音を発し、前記配置関係が前記第２配置関係であるときには前記第１音を発する、
処理システム。
【請求項１４】
前記第１処理装置と前記第２処理装置とを互いに入れ替えることで、前記配置関係が変更される、
ことを特徴とする請求項１３に記載の処理システム。
【請求項１５】
前記第１処理装置と前記第２処理装置は、同一の対象物を順次処理するように互いに接続されている、
ことを特徴とする請求項１３又は請求項１４に記載の処理システム。
【請求項１６】
前記第１処理装置と前記第２処理装置は、それぞれ異なる処理装置群に属しており、
同一の処理装置群に含まれる複数の処理装置は、同一の対象物を順次処理するように互いに接続されている、
ことを特徴とする請求項１３又は請求項１４に記載の処理装置。
【請求項１７】
対象物を処理する機能を有する処理装置に設けられたコンピュータを、
前記対象物と同一の対象物を処理する機能を有する他の処理装置と前記処理装置との配置関係を認識する認識手段、
前記処理装置における、ユーザの操作を必要とする事象の発生を、ユーザに知らせるための音を発する報知手段、
として実行させ、
前記報知手段は、前記処理装置にて前記事象が発生した場合、前記認識手段により認識される前記配置関係が第１配置関係であるときには第１音を発し、前記配置関係が前記第１配置関係とは異なる第２配置関係であるときには前記第１音とは異なる第２音を発する、
プログラム。
【発明の詳細な説明】
【技術分野】
【０００１】
本発明は、処理装置、処理システム及びプログラムに関する。
【背景技術】
【０００２】
対象物に対して処理を行う複数の処理装置が使用される場合において、ユーザの操作を必要とする事象（例えばエラー等）が発生した場合、当該事象が発生した処理装置から音を発することで、当該事象の発生をユーザに知らせることがある。
【０００３】
特許文献１には、エラー毎に音のパターンを変えたり、プリンタ装置毎に音のパターンを変えたりするシステムが記載されている。
【先行技術文献】
【特許文献】
【０００４】
【特許文献１】特開平１１−１０２２８１号公報
【発明の概要】
【発明が解決しようとする課題】
【０００５】
ところで、複数の処理装置が使用される場合において処理装置毎に異なる音を発生させる場合であっても、当該音は処理装置の位置を表しておらず処理装置に固定された音として用いられているに過ぎないため、当該音を聞いたユーザがどこの装置に向かえばよいのか、ユーザにとって必ずしも認識しやすいとは限らない。
【０００６】
本発明の目的は、対象物に対して処理を行う複数の処理装置が使用される場合において、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなるようにすることにある。
【課題を解決するための手段】
【０００７】
請求項１に係る発明は、対象物を処理する処理手段と、前記対象物と同一の対象物を処理する機能を有する他の処理装置と自装置との配置関係を認識する認識手段と、自装置における、ユーザの操作を必要とする事象の発生を、ユーザに知らせるための音を発する報知手段と、を有し、前記報知手段は、自装置にて前記事象が発生した場合、前記認識手段により認識される前記配置関係が第１配置関係であるときには第１音を発し、前記配置関係が前記第１配置関係とは異なる第２配置関係であるときには前記第１音とは異なる第２音を発する、処理装置である。
【０００８】
請求項２に係る発明は、自装置と前記他の処理装置とを互いに入れ替えることで、前記配置関係が変更される、ことを特徴とする請求項１に記載の処理装置である。
【０００９】
請求項３に係る発明は、自装置と前記他の処理装置は、同一の対象物を順次処理するように互いに接続されている、ことを特徴とする請求項１又は請求項２に記載の処理装置である。
【００１０】
請求項４に係る発明は、前記処理手段は、印刷する機能を有し、前記他の処理装置は、印刷する機能を有し、前記処理手段と前記他の処理装置は、前記同一の対象物としての同一の記録媒体に順次印刷を行う、ことを特徴とする請求項３に記載の処理装置である。
【００１１】
請求項５に係る発明は、自装置と前記他の処理装置は、それぞれ異なる処理装置群に属しており、同一の処理装置群に含まれる複数の処理装置は、同一の対象物を順次処理するように互いに接続されている、ことを特徴とする請求項１又は請求項２に記載の処理装置である。
【００１２】
請求項６に係る発明は、自装置が属する処理装置群と前記他の処理装置が属する処理装置群は、それぞれ印刷装置を含み、自装置と前記他の処理装置は、それぞれが属する処理装置群に含まれる印刷装置の下流側に設置された後処理装置である、ことを特徴とする請求項５に記載の処理装置である。
【００１３】
請求項７に係る発明は、自装置が属する処理装置群と前記他の処理装置が属する処理装置群と、それぞれ印刷装置を含み、自装置と前記他の処理装置は、それぞれが属する処理装置群に含まれる印刷装置の上流側に設置された前処理装置である、ことを特徴とする請求項５に記載の処理装置である。
【００１４】
請求項８に係る発明は、前記第１音と前記第２音は、前記配置関係を表す音と前記事象の発生を表す音との連続によって構成されている、ことを特徴とする請求項１又は請求項２に記載の処理装置である。
【００１５】
請求項９に係る発明は、前記報知手段は、前記事象の発生を表す音の音程を前記配置関係に応じて変更する、ことを特徴とする請求項８に記載の処理装置である。
【００１６】
請求項１０に係る発明は、自装置と前記他の処理装置は、同一の対象物を順次処理するように互いに接続されており、前記報知手段は、自装置と前記他の処理装置との間における処理の上下流の関係を、音階の高さ又は音程の上下によって表現する、ことを特徴とする請求項８又は請求項９に記載の処理装置である。
【００１７】
請求項１１に係る発明は、自装置と前記他の処理装置は、それぞれ異なる処理装置群に属しており、同一の処理装置群に含まれる複数の処理装置が、同一の対象物を順次処理するように互いに接続されており、前記報知手段は、自装置にて前記事象が発生した場合、更に、自装置が属する処理装置群を音の発生数で表現する、ことを特徴とする請求項８又は請求項９に記載の処理装置である。
【００１８】
請求項１２に係る発明は、対象物を処理する処理手段と、前記対象物と同一の対象物を処理する機能を有する他の処理装置のよる処理の順番と、前記処理手段による処理の順番とを認識する認識手段と、自装置における、ユーザの操作を必要とする事象の発生を、ユーザに知らせるための音を発する報知手段と、を有し、前記報知手段は、自装置にて前記事象が発生した場合、前記認識手段により認識される前記処理手段による処理の順番が前記他の処理装置による処理の順番よりも先のときには第１音を発し、前記他の処理装置による処理の順番が前記処理手段による処理の順番によりも先のときには前記第１音とは異なる第２音を発する、処理装置である。
【００１９】
請求項１３に係る発明は、対象物を処理する機能を有する第１処理装置と、前記対象物と同一の対象物を処理する機能を有する第２処理装置と、前記第１処理装置と前記第２処理装置との配置関係を認識する認識手段と、を含み、前記第１処理装置は、前記第１処理装置における、ユーザの操作を必要とする事象の発生を、ユーザに知らせるための音を発する第１報知手段を有し、前記第２処理装置は、前記第２処理装置における、ユーザの操作を必要とする事象の発生を、ユーザに知らせるための音を発する第２報知手段を有し、前記第１報知手段は、前記第１処理装置にてユーザの操作を必要とする事象が発生した場合、前記認識手段により認識される前記配置関係が前記第１配置関係であるときには第１音を発し、前記配置関係が前記第１配置関係とは異なる第２配置関係であるときには前記第１音とは異なる第２音を発し、前記第２報知手段は、前記第２処理装置にてユーザの操作を必要とする事象が発生した場合、前記認識手段により認識される前記配置関係が前記第１配置関係であるときには前記第２音を発し、前記配置関係が前記第２配置関係であるときには前記第１音を発する、処理システムである。
【００２０】
請求項１４に係る発明は、前記第１処理装置と前記第２処理装置とを互いに入れ替えることで、前記配置関係が変更される、ことを特徴とする請求項１３に記載の処理システムである。
【００２１】
請求項１５に係る発明は、前記第１処理装置と前記第２処理装置は、同一の対象物を順次処理するように互いに接続されている、ことを特徴とする請求項１３又は請求項１４に記載の処理システムである。
【００２２】
請求項１６に係る発明は、前記第１処理装置と前記第２処理装置は、それぞれ異なる処理装置群に属しており、同一の処理装置群に含まれる複数の処理装置は、同一の対象物を順次処理するように互いに接続されている、ことを特徴とする請求項１３又は請求項１４に記載の処理装置である。
【００２３】
請求項１７に係る発明は、対象物を処理する機能を有する処理装置に設けられたコンピュータを、前記対象物と同一の対象物を処理する機能を有する他の処理装置と前記処理装置との配置関係を認識する認識手段、前記処理装置における、ユーザの操作を必要とする事象の発生を、ユーザに知らせるための音を発する報知手段、として実行させ、前記報知手段は、前記処理装置にて前記事象が発生した場合、前記認識手段により認識される前記配置関係が第１配置関係であるときには第１音を発し、前記配置関係が前記第１配置関係とは異なる第２配置関係であるときには前記第１音とは異なる第２音を発する、プログラムである。
【発明の効果】
【００２４】
請求項１，１３，１７に係る発明によれば、対象物に対して処理を行う複数の処理装置が使用される場合において、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなる。
【００２５】
請求項２，１４に係る発明によれば、処理装置が入れ替えられた場合においても、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなる。
【００２６】
請求項３，１５に係る発明によれば、同一の対象物を順次処理するように複数の処理装置が互いに接続されている場合において、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなる。
【００２７】
請求項４に係る発明によれば、同一の記録媒体に順次印刷を行う複数の処理装置が互いに接続されている場合において、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなる。
【００２８】
請求項５，１６に係る発明によれば、互いに異なる処理装置群が使用される場合において、処理装置の位置によらずに処理装置毎に、ユーザの操作を必要とする事象の発生をユーザに知らせるための音を変える場合と比べて、音を聞いたユーザがどこの処理装置に向かえばよいのかが認識しやすくなる。
【００２９】
請求項６に係る発明によれば、印刷装置の下流に設置された後処理装置が使用される場合において、後処理装置の位置によらずに後処理装置毎に、ユーザの操作を必要とする事象の発生をユーザに知らせるための音を変える場合と比べて、音を聞いたユーザがどこの処理装置に向かえばよいのかが認識しやすくなる。
【００３０】
請求項７に係る発明によれば、印刷装置の上流に設置された前処理装置が使用される場合において、前処理装置の位置によらずに前処理装置毎に、ユーザの操作を必要とする事象の発生をユーザに知らせるための音を変える場合と比べて、音を聞いたユーザがどこの処理装置に向かえばよいのかが認識しやすくなる。
【００３１】
請求項８，９，１０に係る発明によれば、事象の発生を表す音のみを用いる場合と比べて、音を聞いたユーザがどこの処理装置にて事象が発生したのかが認識しやすくなる。
【００３２】
請求項１１に係る発明によれば、処理装置群が構成されている場合において、処理装置の位置によらずに処理装置毎に、ユーザの操作を必要とする事象の発生をユーザに知らせるための音を変える場合と比べて、音を聞いたユーザがどこの処理装置群にて事象が発生したのかが認識しやすくなる。
【００３３】
請求項１２に係る発明によれば、対象物に対して処理を行う複数の処理装置が使用される場合において、処理装置による処理の順番によらずに処理装置毎に、ユーザの操作を必要とする事象の発生をユーザに知らせるための音を変える場合と比べて、音を聞いたユーザがどこの処理装置に向かえばよいのかが認識しやすくなる。
【図面の簡単な説明】
【００３４】
【図１】本実施形態に係る印刷システムの構成を示すブロック図である。
【図２】本実施形態に係る印刷装置の構成を示すブロック図である。
【図３】報知音の設定変更処理に関するフローチャートを示す図である。
【図４】ラインの構成を示すブロック図である。
【図５】ラインの構成を示すブロック図である。
【図６】ラインの構成を示すブロック図である。
【図７】印刷システムの構成を示すブロック図である。
【発明を実施するための形態】
【００３５】
以下、本発明の実施形態に係る処理システムについて説明する。本実施形態に係る処理システムは、複数の処理装置を含む。各処理装置は、同一の対象物を処理する機能を有する。処理装置は、例えば、対象物である記録媒体（例えば用紙等）に画像や文字等を印刷する機能を有する印刷装置、対象物である物品を検査する機能を有する検査装置、対象物である物品を仕分けする機能を有する仕分け装置、対象物である物品から情報を読み取る機能を有する読取装置等である。もちろん、これら以外の装置であって対象物を処理する機能を有する装置が、処理装置として処理システムに含まれてもよい。
【００３６】
また、複数の処理装置を含む処理装置群が構成されてもよい。例えば、複数の処理装置が同一の対象物を順次処理するように当該複数の処理装置が互いに接続され、これによって１つの処理装置群が構成される。同一の処理装置群に含まれる各処理装置は、同一の対象物を順次処理するように構成され、互いに異なる処理装置群に含まれる各処理装置は、互いに異なる対象物を処理するように構成される。
【００３７】
もちろん、各処理装置は処理装置群を構成せずに、処理装置単体で対象物を処理してもよい。例えば、各処理装置は、互いに異なる対象物を処理してもよい。
【００３８】
各処理装置は、ユーザの操作を必要とする事象の発生を、ユーザに知らせるための報知音を発する機能と、同一の対象物を処理する機能を有する他の処理装置と自装置との配置関係を認識する機能とを有する。各処理装置は、自装置にて当該事象が発生した場合、当該配置置関係に応じた報知音を発するように構成されている。例えば、各処理装置は、当該配置関係が第１配置関係であるときには第１報知音を発し、当該配置関係が第１配置関係とは異なる第２配置関係であるときには第１報知音とは異なる第２報知音を発するように構成されている。例えば、自装置と他の処理装置とを互いに入れ替えることで、当該配置関係が変更される。
【００３９】
また、各処理装置は、自装置にて上記の事象が発生した場合、自装置による処理の順番に応じた報知音を発するように構成されてもよい。例えば、各処理装置による処理の順番が変更された場合、各処理装置は、その変更後の順番に応じた報知音を発する。各処理装置を互いに入れ替えることで、各処理装置による処理の順番が変更されてもよいし、各処理装置を互いに入れ替えずに、各処理装置による処理の順番が変更されてもよい。例えば、各処理装置の設置場所は変更されないが、各処理装置の向きや対象物の入出力関係が変更されることで、各処理装置による処理の順番が変更されてもよい。
【００４０】
以下、処理システムの一例である印刷システムを例に挙げて、本実施形態に係る処理システムについて説明する。図１は、本実施形態に係る処理システムの一例である印刷システムの構成を示す。本実施形態に係る印刷システムは、処理装置の一例である印刷装置を含む。
【００４１】
図１に示すように、印刷システムは複数の印刷装置を含む。図１に示す例では、印刷システムは、印刷装置１０Ａ，１０Ｂ，１０Ｃ，１０Ｄ，１０Ｅ，１０Ｆを含む。もちろん、印刷装置の数は一例に過ぎない。以下、各印刷装置を区別する必要がない場合には、各印刷装置を「印刷装置１０」と称することとする。印刷装置１０は、対象物の一例である記録媒体に画像や文字等を印刷する機能を有する装置である。以下では、記録媒体として用紙が用いられるものとする。用紙は、ロール紙等の連続紙であってもよいし、予め定められたサイズに予め切断されたカット紙であってもよい。なお、印刷システムは、各印刷装置１０を制御する制御装置を含んでもよい。
【００４２】
印刷装置１０Ａ，１０Ｂによって、処理装置群であるライン１２Ａが構成され、印刷装置１０Ｃ，１０Ｄによって、処理装置群であるライン１２Ｂが構成され、印刷装置１０Ｅ，１０Ｆによって、処理装置群であるライン１２Ｃが構成されている。以下、各ラインを区別する必要がない場合には、各ラインを「ライン１２」と称することとする。
【００４３】
図１に示す例では、３つのライン１２が構成されているが、この数は一例に過ぎない。また、各ライン１２は２台の印刷装置１０を含むが、この数は一例に過ぎず、各ライン１２は３台以上の印刷装置１０を含んでもよい。また、ライン１２に含まれる印刷装置１０の台数は、ライン１２毎に異なっていてもよい。
【００４４】
同一のライン１２に含まれる各印刷装置１０は、同一の用紙に画像や文字等を順次印刷するように互いに接続されている。ライン１２Ａを例に挙げて説明すると、印刷装置１０Ａと印刷装置１０Ｂとが互いに接続されており、印刷装置１０Ａ，１０Ｂは、同一の用紙に画像や文字等を順次印刷する。同一のライン１２に３台以上の印刷装置１０が含まれる場合も同様に、各印刷装置１０は、同一の用紙に画像や文字等を順次印刷する。
【００４５】
印刷装置１０Ａ，１０Ｂのいずれか一方の印刷装置１０がライン１２Ａの上流側に設置され、他方の印刷装置１０がライン１２Ａの下流側に設置される。ライン１２の上流及び下流は、対象物に対する処理の実行順番に対応する概念であり、ここでは一例として、用紙の搬送方向に従って定められる。搬送方向の上流側がライン１２の上流側であり、搬送方向の下流側がライン１２の下流側である。上流側から下流側にかけて順次印刷が行われる。
【００４６】
例えば、印刷装置１０Ａが、ライン１２Ａの上流側に設置された印刷装置１０であり、印刷装置１０Ｂが、ライン１２Ａの下流側に設置された印刷装置１０である。上流側の印刷装置１０Ａ、下流側の印刷装置１０Ｂの順番で、印刷装置１０Ａ，１０Ｂは順次印刷する。もちろん、配置関係はこの逆であってもよい。
【００４７】
例えば、同一ライン１２に含まれる複数の印刷装置１０によって重連印刷が行われる。重連印刷とは、複数の印刷装置１０を用いて印刷することであり、例えば、各印刷装置１０が互いに異なる面に印刷することや、各印刷装置１０が互いに異なる色を用いて印刷することや、各印刷装置１０が互いに異なる種別のデータ（例えば画像データや文書データ等）に従って印刷することや、各印刷装置１０が部分的に印刷すること等である。ライン１２Ａを例に挙げて説明すると、上流側の印刷装置１０Ａが、下流側の印刷装置１０Ｂよりも先に印刷して用紙を排出する。上流側の印刷装置１０Ａから排出された当該用紙は、下流側の印刷装置１０Ｂに供給され、印刷装置１０Ｂは、当該用紙に印刷する。例えば、上流側の印刷装置１０Ａが、用紙の一方の面（例えば表面）に画像や文字等を印刷し、下流側の印刷装置１０Ｂが、当該用紙の他方の面（例えば裏面）に画像や文字等を印刷する。もちろん、各印刷装置は重連印刷を行わずに印刷してもよい。他のライン１２についても同様である。
【００４８】
互いに異なるライン１２に含まれる各印刷装置１０は、互いに異なる用紙に画像や文字等を印刷する。例えば、ライン１２Ａに含まれる印刷装置１０Ａ，１０Ｂと、ライン１２Ｂに含まれる印刷装置１０Ｃ，１０Ｄとは、互いに異なる用紙に画像や文字等を印刷する。
【００４９】
なお、各印刷装置１０はライン１２を構成せずに、印刷装置１０単体で印刷してもよい。例えば、印刷装置１０Ａと印刷装置１０Ｂとが互いに接続されておらず、印刷装置１０Ａ，１０Ｂはそれぞれ単体で印刷してもよい。
【００５０】
また、各印刷装置１０は通信経路に接続されて、互いに通信する機能を有する。通信経路は、無線通信によって形成されてもよいし、有線通信によって形成されてもよい。通信経路は、例えば、ＬＡＮ（Local Area Network）等のネットワークやインターネット等である。もちろん、各印刷装置１０は、ネットワークを介さずに互いに直接的に通信してもよい。
【００５１】
各印刷装置１０は、例えば、電子写真方式やインクジェット方式等に従って印刷する。もちろん、各印刷装置１０は、これら以外の印刷方式に従って印刷してもよい。また、各印刷装置１０は、同一種類の印刷装置であってもよいし、互いに異なる種類の印刷装置であってもよいし、同一機能を有する印刷装置であってもよいし、互いに異なる機能を有する印刷装置であってもよい。例えば、各印刷装置１０は、同じ型番や同じシリーズの印刷装置であってもよいし、互いに異なる型番やシリーズの印刷装置であってもよい。各印刷装置１０は、モノクロ印刷を行ってもよいし、カラー印刷を行ってもよい。また、印刷機能を有し、更に、画像読取機能や複写機能やファクシミリ機能等を有する画像形成装置が、印刷装置１０の代わりに用いられてもよい。
【００５２】
以下、図２を参照して、印刷装置１０の構成について詳しく説明する。図２は、印刷装置１０の構成の一例を示す。
【００５３】
通信部１４は通信インターフェースであり、他の装置に情報を送信する機能、及び、他の装置から情報を受信する機能を有する。通信部１４は、無線通信機能を有していてもよいし、有線通信機能を有していてもよい。通信部１４は、例えば、印刷データと印刷指示情報とを含む印刷ジョブ情報やその他の制御情報等を、図示しない制御装置やサーバ等から受信する。
【００５４】
ＵＩ部１６はユーザインターフェース部であり、表示部と操作部とを含む。表示部は、液晶ディスプレイ等の表示装置である。操作部は、キーボードや入力キーや操作パネル等の入力装置である。ＵＩ部１６は、表示部と操作部とを兼ね備えたタッチパネル等のＵＩ部であってもよい。
【００５５】
記憶部１８は、各種の情報を記憶する１又は複数の記憶領域である。各記憶領域は、例えば、印刷装置１０に設けられている１又は複数の記憶装置（例えばハードディスクドライブやメモリ等の物理ドライブ）によって構成されている。印刷ジョブ情報等が記憶部１８に記憶される。また、記憶部１８には、構成情報と報知音設定情報が記憶されている。
【００５６】
以下、構成情報について説明する。構成情報は、例えば、自装置構成位置情報、他装置構成位置情報、ライン構成台数情報、及び、他ライン情報を含む。
【００５７】
自装置構成位置情報は、自装置である印刷装置１０の構成位置を示す情報である。他装置構成位置情報は、自装置に接続されている他の印刷装置１０の構成位置を示す情報であり、具体的には、自装置と同一のライン１２に属する他の印刷装置１０の構成位置を示す情報である。ライン構成台数情報は、自装置と同一のライン１２に属する印刷装置１０の総数を示す情報である。他ライン情報は、自装置が属していない他のライン１２に関する情報である。
【００５８】
ここで、構成位置について説明する。印刷装置１０の構成位置とは、互いに接続された複数の印刷装置１０間における当該印刷装置１０の相対的な位置である。例えば、印刷装置１０の構成位置とは、同一のライン１２に属する複数の印刷装置１０間における当該印刷装置１０の相対的な位置である。自装置構成位置情報は、例えば、自装置である印刷装置１０が属するライン１２を識別するためのライン識別情報と、自装置と同一のライン１２に属する複数の印刷装置１０間における自装置の相対的な位置を示す相対位置情報とを含む。他装置構成位置情報は、例えば、当該他の印刷装置１０が属するライン１２を識別するためのライン識別情報と、当該他の印刷装置１０と同一ライン１２に属する複数の印刷装置１０間における当該他の印刷装置１０の相対的な位置を示す相対位置情報とを含む。自装置と当該他の印刷装置１０は同一のライン１２に属しているため、他装置構成位置情報に含まれるライン識別情報が示すライン１２は、自装置構成位置情報に含まれるライン識別情報が示すライン１２と同じである。相対的な位置は、例えば、上流側や下流側やそれらの中間位置等である。ライン識別情報は、例えば、ラインＩＤやライン番号やライン名称等を示す情報である。自装置構成位置情報を参照することで、自装置である印刷装置１０が属するライン１２が特定され、更に、当該ライン１２に属する複数の印刷装置１０間における自装置の相対的な位置が特定される。また、他装置構成位置情報を参照することで、自装置と同一のライン１２に属する複数の印刷装置１０間における他の印刷装置１０の相対的な位置が特定される。
【００５９】
構成位置についてライン１２Ａを例に挙げて説明する。例えば、印刷装置１０Ａが上流側の印刷装置であり、印刷装置１０Ｂが下流側の印刷装置であるものとする。この場合、印刷装置１０Ａの構成情報に含まれる自装置構成位置情報は、印刷装置１０Ａが属するライン１２Ａを識別するためのライン識別情報と、自装置である印刷装置１０Ａが上流側の装置であることを示す相対位置情報とを含む。印刷装置１０Ａの構成情報に含まれる他装置構成位置情報は、印刷装置１０Ｂが属するライン１２Ａを識別するためのライン識別情報と、印刷装置１０Ｂが下流側の装置であることを示す相対的位置情報とを含む。また、印刷装置１０Ａの構成情報は、ライン１２Ａに属する印刷装置１０の総数が２台であることを示すライン構成台数情報を含む。印刷装置１０Ａの構成情報を参照することで、印刷装置１０Ａがライン１２Ａに属し、印刷装置１０Ｂに対して上流側に設置された印刷装置１０であることが特定される。
【００６０】
また、印刷装置１０Ｂの構成情報に含まれる自装置構成位置情報は、印刷装置１０Ｂが属するライン１２Ａを識別するためのライン識別情報と、自装置である印刷装置１０Ｂが下流側の印刷装置であることを示す相対的位置情報とを含む。印刷装置１０Ｂの構成情報に含まれる他装置構成位置情報は、印刷装置１０Ａが属するライン１２Ａを識別するためのライン識別情報と、印刷装置１０Ａが上流側の装置であることを示す相対的位置情報とを含む。印刷装置１０Ｂの構成情報は、ライン１２Ｂに属する印刷装置１０の総数が２台であることを示すライン構成台数情報を含む。印刷装置１０Ｂの構成情報を参照することで、印刷装置１０Ｂがライン１２Ａに属し、印刷装置１０Ａに対して下流側に設置された印刷装置１０であることが特定される。
【００６１】
また、最上流に設置された印刷装置１０が１番目の印刷装置１０として定義され、各印刷装置１０の構成位置を示す情報は、その１番目の印刷装置１０から数えたときの各印刷装置１０の設置位置の順番を示す情報であってもよい。例えば、上流側の印刷装置１０Ａは１番目の印刷装置１０であり、下流側の印刷装置１０Ｂは２番目の印刷装置１０である。仮に、印刷装置１０Ｂよりも下流側に別の印刷装置１０が設置されて印刷装置１０Ｂに接続された場合、当該別の印刷装置１０は３番目の印刷装置１０に該当する。別の例として、最下流に設置された印刷装置１０が１番目の印刷装置１０として定義されて、各印刷装置１０の設置位置の順番が定められてもよい。
【００６２】
他ライン情報は、自装置が属していない他のライン１２に関する情報であり、例えば、他のライン１２の数を示す情報、他のライン１２のそれぞれを識別するためのライン識別情報、他のライン１２のそれぞれに属する印刷装置１０の総数を示す情報、他のライン１２のそれぞれに属する各印刷装置１０の相対的な位置を示す情報等を含む。他のライン１２に属する印刷装置１０の相対的な位置は、当該他のライン１２における当該印刷装置１０の相対的な位置である。印刷装置１０Ａの構成情報に含まれる他ライン情報を例に挙げて説明すると、当該他ライン情報は、ライン１２Ｂ，１２Ｃに関する情報である。
【００６３】
例えば、ユーザが、印刷装置１０毎に、ＵＩ部１６を操作することで、自装置の構成位置を示す自装置構成位置情報を当該印刷装置１０に入力する。ユーザによって入力された自装置構成位置情報は、構成情報に含まれる情報として自装置の記憶部１８に記憶される。印刷装置１０Ａを例に挙げて説明する。ユーザが、印刷装置１０ＡのＵＩ部１６を操作することで、自装置である印刷装置１０Ａの構成位置を示す自装置構成位置情報を入力した場合、当該自装置構成位置情報は、印刷装置１０Ａの記憶部１８に記憶される。例えば、印刷装置１０の入れ替え等に起因して、印刷装置１０の相対的な位置が変わったり、印刷装置１０が別のライン１２に属したりした場合、ユーザは、その変更が反映された自装置構成位置情報を入力することが想定される。
【００６４】
各印刷装置１０は、自装置に入力された自装置構成位置情報を、印刷システムに含まれる他の印刷装置１０に送信する。例えば、各印刷装置１０は、自装置に入力された各自装置構成位置情報を他の印刷装置１０にブロードキャストする。各印刷装置１０の記憶部１８には、他の印刷装置１０から送られてきた自装置構成位置情報が記憶される。自装置と同一のライン１２に属する他の印刷装置１０から送られてきた自装置構成位置情報は、当該自装置においては、他装置構成位置情報として当該自装置の記憶部１８に記憶される。自装置と異なるライン１２に属する他の印刷装置１０から送られてきた自装置構成位置情報は、当該自装置においては、他ライン情報に含まれる情報として当該自装置の記憶部１８に記憶される。
【００６５】
例えば、印刷装置１０Ａは、印刷装置１０Ａの自装置構成位置情報を印刷装置１０Ｂ，１０Ｃ，１０Ｄ，１０Ｅ，１０Ｆに送信し、印刷装置１０Ｂは、印刷装置１０Ｂの自装置構成位置情報を、印刷装置１０Ａ，１０Ｃ，１０Ｄ，１０Ｅ，１０Ｆに送信する。印刷装置１０Ａと同一のライン１２Ａに属する印刷装置１０Ｂの記憶部１８には、印刷装置１０Ａから送られてきた自装置構成位置情報が、他装置構成位置情報として記憶される。同様に、印刷装置１０Ｂと同一のライン１２Ａに属する印刷装置１０Ａの記憶部１８には、印刷装置１０Ｂから送られてきた自装置構成位置情報が、他装置構成位置情報として記憶される。印刷装置１０Ｃ，１０Ｄ，１０Ｅ，１０Ｆのそれぞれの記憶部１８には、印刷装置１０Ａ，１０Ｂのそれぞれから送られてきた自装置構成位置情報が、他ライン情報に含まれる情報として記憶される。
【００６６】
なお、各印刷装置１０の自装置構成位置情報は、ユーザによって、制御装置やサーバやパーソナルコンピュータ等の、印刷装置１０以外の装置に入力されてもよい。この場合、各印刷装置１０の自装置構成位置情報は、当該装置から各印刷装置１０に送信される。
【００６７】
以下、報知音設定情報について説明する。報知音設定情報は、自装置の報知部２４から発せられる報知音の設定内容を示す情報であり、具体的には、当該報知音を識別するための情報（例えば報知音のＩＤや名称等を示す情報）である。報知音は、自装置である印刷装置１０にてユーザの操作を必要とする事象が発生した場合に、当該事象の発生をユーザに知らせるための音である。ユーザの操作を必要とする事象は、例えば、印刷装置１０にて発生した、ユーザの操作を必要とするエラー等である。ユーザの操作を必要とするエラーは、例えば、原稿詰まり、用紙詰まり、異音の発生、異常温度の検出、動作不良、部品の損傷、トナー等の消耗品の交換、等である。上記の操作は、印刷装置１０に対するユーザの直接的な操作（例えば印刷装置１０に触れる操作）であり、ユーザが印刷装置１０まで行く必要のない遠隔操作は除かれる。上記の操作は、印刷装置１０にて発生したエラーの内容によって異なるが、例えば、発生したエラーが用紙詰まりであれば、印刷装置１０において用紙詰まりが発生した箇所（例えば給紙トレイや搬送部等）や筐体のカバー等を直接操作して、詰まった用紙を取り除く作業が、上記の操作に該当する。また、ＵＩ部１６に含まれる操作パネルを操作すること等も、上記の操作に該当する。
【００６８】
例えば、印刷装置１０の構成位置毎に異なる報知音が用いられ、各印刷装置１０には、自装置の構成位置に応じた報知音が設定される。自装置の構成位置に応じて自装置に設定された報知音を識別するための情報が、報知音設定情報として記憶部１８に記憶される。印刷装置１０の構成位置毎に異なる報知音が用いられることで、印刷装置１０の配置関係毎に異なる報知音が発せられる。配置関係とは、各印刷装置１０の相対的な位置の関係であり、例えば、上下流の関係や、最上流又は最下流からの設置位置の順番の関係等である。例えば、上流側と下流側とで異なる報知音が用いられたり、ライン１２毎に異なる報知音が用いられたりする。また、ユーザの操作を必要とする事象毎に異なる報知音が用いられてもよい。
【００６９】
後述するように、印刷装置１０の構成位置が変更された場合、その変更に応じて、当該印刷装置１０に設定されている報知音が変更され、その変更が報知音設定情報に反映される。
【００７０】
報知音は、例えば、メロディであってもよいし、単純なブザー音であってもよい。報知音は、印刷装置１０の配置関係を表す音と、ユーザの操作が必要な事象の発生を表す音との連続によって構成されてもよい。当該事象の発生を表す音の音程が、印刷装置１０の配置関係に応じて変更されてもよい。同一のライン１２に属する複数の印刷装置１０の上下流の配置関係が、報知音の高さ又は音程の上下によって表現されてもよい。ライン１２が報知音の数によって表現されてもよい。
【００７１】
各報知音のデータには報知音を識別するための情報が対応付けられており、各報知音のデータは、各印刷装置１０の記憶部１８に予め記憶されている。もちろん、各報知音のデータは、印刷装置１０以外の他の装置に記憶されていてもよい。
【００７２】
印刷部２０は、電子写真方式やインクジェット方式等によって、用紙に画像や文字等を印刷するように構成されている。なお、印刷部２０は、対象物を処理する処理手段の一例に相当する。
【００７３】
認識部２２は、自装置である印刷装置１０と他の印刷装置１０との配置関係を認識するように構成されている。例えば、認識部２２は、自装置である印刷装置１０と、当該自装置と同一のライン１２に属する他の印刷装置１０との配置関係を認識する。
【００７４】
認識部２２は、互いに異なるライン１２に属する各印刷装置１０間の配置関係を認識してもよい。つまり、認識部２２は、自装置である印刷装置１０と、当該自装置が属していない他のライン１２に属する他の印刷装置１０との配置関係を認識してもよい。
【００７５】
以下、認識部２２による処理について詳しく説明する。
【００７６】
各印刷装置１０の認識部２２は、他の印刷装置１０から送られてきた自装置構成位置情報に含まれるライン識別情報を参照することで、当該他の印刷装置１０が属するライン１２を特定し、当該特定結果に基づいて、当該自装置構成位置情報を他装置構成位置情報、又は、他ライン情報に含まれる情報として、自装置の記憶部１８に記憶させる。また、認識部２２は、自装置構成位置情報と他装置構成位置情報とに基づいて、自装置と同一のライン１２に属する印刷装置１０の総数を算出し、当該総数を示すライン構成台数を自装置の記憶部１８に記憶させる。また、認識部２２は、自装置と同一のライン１２に属していない他の印刷装置１０から送られてきた自装置構成位置情報に基づいて、他ライン情報に含まれる各情報を生成する。
【００７７】
ここで、印刷装置１０Ａを例に挙げて、印刷装置１０Ａの記憶部１８に記憶されている構成情報について説明する。当該構成情報に含まれる自装置構成位置情報は、印刷装置１０Ａがライン１２Ａにおいて上流側に設置されている印刷装置１０であることを示す。当該構成情報に含まれる他装置構成位置情報は、印刷装置１０Ａと同一のライン１２Ａに属する印刷装置１０Ｂが、ライン１２Ａにおいて下流側に設置されている印刷装置１０であることを示す。当該構成情報に含まれるライン構成台数情報は、ライン１２Ａに属する印刷装置１０の総数が２台であることを示す。当該構成情報に含まれる他ライン情報は、他のライン１２であるライン１２Ｂ，１２Ｃのそれぞれを識別するためのライン識別情報、他のライン１２の総数が２ラインであることを示す情報、ライン１２Ｂ，１２Ｃのそれぞれに属する印刷装置１０の総数を示す情報、及び、印刷装置１０Ｃ，１０Ｄ，１０Ｅ，１０Ｆのそれぞれの相対的な位置を示す情報等を含む。
【００７８】
認識部２２は、自装置である印刷装置１０の記憶部１８に記憶されている自装置構成位置情報と他装置構成位置情報とを参照することで、自装置と、当該自装置と同一のライン１２に属する他の印刷装置１０との配置関係を認識する。
【００７９】
印刷装置１０Ａを例に挙げて説明する。印刷装置１０Ａの認識部２２は、印刷装置１０Ａの記憶部１８に記憶されている自装置構成位置情報と他装置構成位置情報とを参照することで、自装置である印刷装置１０Ａが上流側の印刷装置１０であり、同一のライン１２Ａに属する他の印刷装置１０Ｂが下流側の印刷装置１０であることを認識する。
【００８０】
なお、各印刷装置１０の認識部２２は、自装置の記憶部１８に記憶されている他装置構成位置情報を参照せずに、自装置の記憶部１８に記憶されている自装置構成位置情報を参照することで、自装置である印刷装置１０の相対的な位置を認識してもよい。例えば、印刷装置１０Ａの認識部２２は、印刷装置１０Ａの記憶部１８に記憶されている自装置構成位置情報を参照することで、印刷装置１０Ａの相対的な位置を認識してもよい。他の印刷装置１０についても同様である。
【００８１】
認識部２２は、用紙の搬送方向に基づいて、自装置である印刷装置１０の相対的な位置を認識してもよい。例えば、印刷装置１０Ａが印刷装置１０Ｂに用紙を供給するように印刷装置１０Ａ，１０Ｂが互いに接続されている場合、用紙を供給する印刷装置１０Ａの認識部２２は、自装置である印刷装置１０Ａが上流側の印刷装置１０であることを認識し、用紙が供給される印刷装置１０Ｂの認識部２２は、自装置である印刷装置１０Ｂが下流側の印刷装置１０であることを認識してもよい。
【００８２】
報知部２４は、例えばスピーカ等の音声発生装置によって構成され、報知音制御部２８の制御の下、音を発するように構成されている。例えば、自装置である印刷装置１０にてユーザの操作を必要とする事象が発生した場合、報知部２４は、自装置の構成位置に応じた報知音を発する。報知部２４は、事象に応じた報知音を発してもよい。
【００８３】
制御部２６は、印刷装置１０の各部の動作を制御するように構成されている。制御部２６は、例えば、印刷装置１０による印刷の開始、印刷の停止及び用紙の搬送等を制御する。また、制御部２６は、報知音制御部２８を含む。
【００８４】
報知音制御部２８は、報知部２４による報知音の発生を制御するように構成されている。例えば、自装置である印刷装置１０にてユーザの操作を必要とする事象が発生した場合、報知音制御部２８は、自装置の記憶部１８に記憶されている報知音設定情報に従って、自装置の構成位置に応じた報知音を報知部２４に発生させる。これにより、印刷装置１０の配置関係に応じた報知音が報知部２４から発せられる。また、報知音制御部２８は、事象に応じた報知音を報知部２４に発生させてもよい。
【００８５】
自装置が発する報知音は制御部２６によって設定され、当該報知音を識別するための報知音設定情報は制御部２６によって生成される。例えば、制御部２６は、報知音管理情報に基づいて、自装置の構成位置に応じた報知音を自装置に設定し、設定内容が反映された報知音設定情報を生成する。
【００８６】
以下、報知音管理情報について説明する。報知音管理情報は、報知音を管理するための情報であり、各印刷装置１０の記憶部１８又は他の装置に予め記憶されている。例えば、構成位置毎に、構成位置を示す情報と、当該構成位置に対応する報知音を識別するための情報とが互いに対応付けられて、当該対応付けを示す情報が報知音管理情報として記憶されている。具体例を挙げて説明すると、上流側を示す情報と、上流側に対応した報知音を識別するための情報とが互いに対応付けられており、下流側を示す情報と、下流側に対応した報知音を識別するための情報とが互いに対応付けられている。報知音管理情報を参照することで、印刷装置１０の構成位置に対応する報知音が特定される。
【００８７】
制御部２６は、報知音管理情報を参照することで、自装置の構成位置に対応付けられている報知音を特定し、当該報知音を自装置に設定する。制御部２６は、その設定内容を自装置の報知音設定情報に反映させる。また、印刷システムの構成が変更される等して自装置の構成位置が変更された場合、制御部２６は、報知音管理情報を参照することで、変更後の構成位置に対応付けられている報知音を特定し、当該報知音を自装置に設定する。
【００８８】
また、ユーザの操作を必要とする事象毎に異なる報知音が用いられる場合、構成位置毎に、構成位置を示す情報と、当該構成位置に対応する報知音を識別するための情報と、ユーザの操作を必要とする事象を識別するための事象識別情報とが互いに対応付けられて、当該対応付けを示す情報が報知音管理情報として記憶されてもよい。
【００８９】
なお、各印刷装置１０は、ユーザの操作を必要とする事象の発生を、ユーザに知らせるための光を発する光源を有していてもよい。光源は、例えばＬＥＤ（Light Emitting Diode）や電球等の照明装置である。自装置である印刷装置１０にてユーザの操作を必要とする事象が発生した場合、報知部２４と同様に、光源は、自装置の構成位置に応じた光を発する。また、光源は、事象に応じた光を発してもよい。光源による発光は、制御部２６によって制御される。
【００９０】
以下、図３を参照して、報知音の設定変更処理について説明する。図３は、当該設定変更処理に関するフローチャートを示す。
【００９１】
まず、印刷システムの構成が変更される（Ｓ０１）。例えば、印刷装置１０の構成位置が変更されることで、印刷システムの構成が変更される。具体例を挙げて説明すると、同一のライン１２に属する各印刷装置１０が互いに入れ替えられることで、各印刷装置１０の構成位置が変更されてもよいし、互いに異なるライン１２間にて各印刷装置１０が互いに入れ替えられることで、各印刷装置１０の構成位置が変更されてもよい。各印刷装置１０の構成位置が変更されることで、印刷装置１０の配置関係が変更される。もちろん、構成位置が変更されない印刷装置１０が存在していてもよい。ユーザは、各印刷装置１０のＵＩ部１６を操作することで、印刷システムの構成が変更された後の各印刷装置１０の構成位置を示す自装置構成位置情報を入力する。構成位置が変更された印刷装置１０の自装置構成位置情報は、変更後の構成位置を示し、構成位置が変更されていない印刷装置１０の自装置構成位置情報は、印刷システムの構成が変更される前と同じ構成位置を示している。
【００９２】
次に、各印刷装置１０の制御部２６は、他の印刷装置１０の構成情報を取得する（Ｓ０２）。例えば、各印刷装置１０は、自装置の構成情報を他の印刷装置１０にブロードキャストすることで、各印刷装置１０の制御部２６は、他の印刷装置１０の構成情報を取得する。構成情報に含まれる自装置構成位置情報は、印刷システムの構成が変更された後の構成位置を示す情報である。なお、各印刷装置１０は、自装置の構成情報に含まれる自装置構成位置情報のみをブロードキャストし、各印刷装置１０の制御部２６は、他の印刷装置１０の自装置構成位置情報のみを取得してもよい。
【００９３】
次に、各印刷装置１０の制御部２６は、自装置の構成情報を当該自装置の記憶部１８から読み出す（Ｓ０３）。
【００９４】
自装置の構成位置が変更されていない場合（Ｓ０４，Ｎｏ）、当該自装置の制御部２６は、当該自装置に設定されている報知音を変更しない（Ｓ０５）。
【００９５】
自装置の構成位置が変更されている場合（Ｓ０４，Ｙｅｓ）、当該自装置の制御部２６は、当該自装置に設定されている報知音を変更する（Ｓ０６）。例えば、同一のライン１２に属する複数の印刷装置１０間における自装置の相対的な位置が変更された場合、自装置の制御部２６は報知音を変更する。制御部２６は、報知音管理情報を参照することで、自装置の変更後の構成位置に対応付けられている報知音を特定し、当該報知音を自装置に設定する。制御部２６は、その設定内容を自装置の報知音設定情報に反映させる。以降、各印刷装置１０の報知部２４は、自装置にてユーザの操作を必要とする事象が発生した場合、自装置に設定されている報知音を発する。
【００９６】
以下、具体例を挙げて本実施形態について更に詳しく説明する。ここでは。ライン１２Ａに属する印刷装置１０Ａ，１０Ｂを例に挙げて、ユーザの操作を必要とするエラーが発生したときの印刷装置１０Ａ，１０Ｂの動作について説明する。
【００９７】
図４及び図５に示すように、印刷装置１０Ａ，１０Ｂは互いに接続されている。図４に示されている印刷装置１０Ａ，１０Ｂの配置関係は、第１配置関係である。図５に示されている印刷装置１０Ａ，１０Ｂの配置関係は、第２配置関係である。
【００９８】
第１配置関係においては、図４に示すように、印刷装置１０Ａが上流側の印刷装置１０であり、印刷装置１０Ｂが下流側の印刷装置である。つまり、図４に示されている処理方向に対応して、印刷装置１０Ａ，１０Ｂの順番で順次印刷が行われる。処理方向は、用紙の搬送方向である。
【００９９】
第２配置関係においては、図５に示すように、印刷装置１０Ｂが上流側の印刷装置１０であり、印刷装置１０Ａが下流側の印刷装置である。つまり、図５に示されている処理方向に対応して、印刷装置１０Ｂ，１０Ａの順番で順次印刷が行われる。
【０１００】
例えば、印刷装置１０Ａ，１０Ｂが互いに入れ替えられることで、印刷装置１０Ａ，１０Ｂの配置関係が、第１配置関係から第２配置関係に、又は、第２配置関係から第１配置関係に変更される。この点に関して、第１配置関係を有する印刷装置１０Ａ，１０Ｂを例に挙げて説明する。印刷装置１０Ａの入れ替え前の設置場所である上流側の設置場所に印刷装置１０Ｂが設置され、印刷装置１０Ｂの入れ替え前の設置場所である下流側の設置場所に印刷装置１０Ａが設置されて、用紙が印刷装置１０Ｂから印刷装置１０Ａに搬送されるように印刷装置１０Ａ，１０Ｂが互いに接続されることで、印刷装置１０Ａ，１０Ｂの配置関係が、第１配置関係から第２配置関係に変更される。その逆も同様である。
【０１０１】
印刷装置１０Ａにてユーザの操作を必要とするエラーが発生した場合、印刷装置１０Ａの報知音制御部２８は、印刷装置１０Ａ，１０Ｂの配置関係に応じた報知音を、印刷装置１０Ａの報知部２４に発生させる。具体的には、印刷装置１０Ａの報知音制御部２８は、印刷装置１０Ａの記憶部１８に記憶されている報知音設定情報に従って、印刷装置１０Ａの報知部２４に報知音を発生させる。
【０１０２】
印刷装置１０Ａ，１０Ｂの配置関係が第１配置関係である場合、つまり、印刷装置１０Ａが上流側の印刷装置１０である場合、報知音制御部２８は、上流側に対応付けられている報知音を、印刷装置１０Ａの報知部２４に発生させる。なお、上流側に対応付けられている報知音が、第１音の一例に相当する。
【０１０３】
印刷装置１０Ａ，１０Ｂの配置関係が第２配置関係である場合、つまり、印刷装置１０Ａが下流側の印刷装置１０である場合、報知音制御部２８は、下流側に対応付けられた報知音を、印刷装置１０Ａの報知部２４に発生させる。なお、下流側に対応付けられている報知音が、第２音の一例に相当する。
【０１０４】
印刷装置１０Ｂにてユーザの操作を必要とするエラーが発生した場合も同様である。図５に示すように、印刷装置１０Ｂが上流側の印刷装置１０である場合、印刷装置１０Ｂの報知音制御部２８は、上流側に対応付けられている報知音を、印刷装置１０Ｂの報知部２４に発生させる。図４に示すように、印刷装置１０Ｂが下流側の印刷装置１０である場合、印刷装置１０Ｂの報知音制御部２８は、下流側に対応付けられている報知音を、印刷装置１０Ｂの報知部２４に発生させる。
【０１０５】
例えば、低い音階の音と高い音階の音とがその順番で流れるように構成されたメロディが、配置関係を表す音として用いられ、そのメロディとエラーの発生を表す通常のエラー音との組み合わせが、上流側用の報知音として用いられる。また、それとは逆に、高い音階の音と低い音階の音とがその順番で流れるように構成されたメロディが、配置関係を表す音として用いられ、そのメロディと通常のエラー音との組み合わせが、下流側用の報知音として用いられる。なお、通常のエラー音は、例えば、ブザー音やメロディ等である。配置関係を表す音とエラー音との連続によって構成されている報知音を報知部２４から発生させることで、エラー音のみを報知部２４から発生させる場合と比較して、音を聞いたユーザがどこの印刷装置１０にてエラーが発生したのかが認識しやすくなる。
【０１０６】
エラーの発生を表すエラー音の音程は、印刷装置１０の配置関係に応じて変更されてもよい。例えば、上流側と下流側とで、異なる音程が用いられる。また、報知音は、エラーの種類を識別するための音を含んでもよい。
【０１０７】
音程の上下によって、印刷装置１０の配置関係が表現されてもよい。例えば、上流側と下流側とで、音程の上下の程度が変えられることで、配置関係が表現される。
【０１０８】
別の例として、報知音は音声であってもよい。例えば、上流側用の報知音と下流側用の報知音は、互いに異なる音声である。上流側用の報知音は、エラーが発生した印刷装置１０が上流側の印刷装置１０であることを表す音声である。例えば、「上流側の印刷装置でエラーが発生しました」等といったメッセージの音声が、上流側用の報知音として用いられてもよい。同様に、下流側用の報知音は、エラーが発生した印刷装置１０が下流側の印刷装置１０であることを表す音声である。例えば、「下流側の印刷装置でエラーが発生しました」等といったメッセージの音声が、下流側の報知音として用いられてもよい。また、音声である報知音は、エラーの種類を表す音声を含んでもよい。例えば、用紙詰まりが発生した場合、報知音制御部２８は、用紙詰まりが発生した印刷装置１０を識別するための音声と、発生したエラーが用紙詰まりであることを表す音声との組み合わせを含む報知音を、報知部２４に発生させる。
【０１０９】
また、上記以外の報知音が用いられてもよい。例えば、構成位置毎に任意の報知音がユーザによって設定され、報知音制御部２８は、ユーザに設定された報知音を報知部２４に発生させてもよい。
【０１１０】
あるライン１２の全体に関わるエラーが発生した場合、当該ライン１２に属する各印刷装置１０の報知音制御部２８は、通常のエラー音のみを報知部２４に発生させもよい。例えば、ホストコンピュータ等の制御装置から当該ライン１２に送られてきた印刷ジョブにエラーが発生した場合等のように、当該ライン１２の全体に関わるエラーが発生した場合、報知音制御部２８は、通常のエラー音のみを報知部２４に発生させる。印刷システム全体に関わるエラーが発生した場合も同様に、通常のエラー音のみが発せられてもよい。
【０１１１】
以上のように、印刷装置１０の相対的な位置である構成位置に応じて報知音を変えることで、印刷装置１０の構成位置によらずに印刷装置１０毎に、ユーザの操作を必要とするエラーの発生をユーザに知らせるための音を変える場合と比べて、報知音を聞いたユーザがどこの印刷装置１０に向かえばよいのかが認識しやすくなる。例えば、複数の印刷装置１０が互いに入れ替えられた場合においても、上流側の印刷装置１０からは上流側に対応した報知音が発せられるので、音を聞いたユーザがどこの印刷装置１０に向かえばよいのかが認識しやすくなる。
【０１１２】
上記の実施形態では、認識部２２は、各印刷装置１０の配置関係を認識し、報知音制御部２８は、配置関係に応じた報知音を報知部２４に発生させている。別の例として、認識部２２は、各印刷装置１０による処理の順番を認識し、報知音制御部２８は、自装置の順番に応じた報知音を報知部２４に発生させてもよい。例えば、認識部２２は、自装置の記憶部１８に記憶されている自装置構成位置情報と他装置構成位置情報とを参照することで、自装置による処理の順番と他の印刷装置１０による処理の順番とを認識する。処理の順番毎に異なる報知音が定められており、例えば、処理の順番を示す情報と報知音を識別するための情報とが互いに対応付けられて記憶部１８に記憶されている。報知音制御部２８は、当該対応付けを参照することで、自装置の順番に対応する報知音を報知部２４に発生させる。以下、この動作について詳しく説明する。
【０１１３】
図４に示されている配置関係においては、上流側の印刷装置１０Ａが、下流側の印刷装置１０Ｂよりも先に印刷する。つまり、上流側の印刷装置１０Ａが、１番目に印刷する印刷装置１０であり、下流側の印刷装置１０Ｂが、２番目に印刷する印刷装置１０である。この場合において、上流側の印刷装置１０Ａにてユーザの操作を必要とするエラーが発生した場合、印刷装置１０Ａの報知音制御部２８は、１番目に対応付けられている報知音を、印刷装置１０Ａの報知部２４に発生させる。また、下流側の印刷装置１０Ｂにてユーザの操作が必要となるエラーが発生した場合、印刷装置１０Ｂの報知音制御部２８は、２番目に対応付けられている報知音を、印刷装置１０Ｂの報知部２４に発生させる。２番目に対応付けられている報知音は、１番目に対応付けられている報知音とは異なる音である。なお、１番目に対応付けられている報知音が、第１音の一例に相当し、２番目に対応付けられている報知音が、第２音の一例に相当する。
【０１１４】
図５に示されている配置関係においては、上流側の印刷装置１０Ｂが、下流側の印刷装置１０Ａよりも先に印刷する。つまり、上流側の印刷装置１０Ｂが、１番目に印刷する印刷装置１０であり、下流側の印刷装置１０Ａが、２番目に印刷する印刷装置１０である。この場合において、上流側の印刷装置１０Ｂにてユーザの操作を必要とするエラーが発生した場合、印刷装置１０Ｂの報知音制御部２８は、１番目に対応付けられている報知音を、印刷装置１０Ｂの報知部２４に発生させる。また、下流側の印刷装置１０Ａにてユーザの操作が必要となるエラーが発生した場合、印刷装置１０Ａの報知音制御部２８は、２番目に対応付けられている報知音を、印刷装置１０Ａの報知部２４に発生させる。
【０１１５】
図４及び図５に示す例では、印刷装置１０Ａ，１０Ｂが互いに入れ替えられることで、印刷装置１０Ａ，１０Ｂのそれぞれによる印刷の順番が変更されているが、印刷装置１０Ａ，１０Ｂが互いに入れ替えられずに、印刷の順番が変更されてもよい。例えば、印刷装置１０Ａ，１０Ｂの設置場所を変更せずに、処理方向である用紙の搬送方向を変更することで、印刷の順番が変更される。例えば図４に示されている配置関係においては、印刷装置１０Ａから排出された用紙が印刷装置１０Ｂに供給されるように、印刷装置１０Ａ，１０Ｂのそれぞれの向きが定められて、印刷装置１０Ａ，１０Ｂが互いに接続されている。こうすることで、印刷装置１０Ａは上流側の印刷装置１０として動作し、印刷装置１０Ｂは下流側の印刷装置１０として動作する。印刷装置１０Ａ，１０Ｂのそれぞれの向きを変更することで、用紙の搬送方向が変更され、その結果、印刷の順番が変更される。例えば図６に示されている配置関係においては、印刷装置１０Ａ，１０Ｂのそれぞれの設置場所は変更されていないが、印刷装置１０Ａ，１０Ｂのそれぞれの向きが変更されている。具体的には、印刷装置１０Ｂから排出された用紙が印刷装置１０Ａに供給されるように、印刷装置１０Ａ，１０Ｂのそれぞれの向きが定められて、印刷装置１０Ａ，１０Ｂが互いに接続されている。こうすることで、印刷装置１０Ａは下流側の印刷装置１０として動作し、印刷装置１０Ｂは上流側の印刷装置１０として動作する。この場合、印刷装置１０Ｂが、１番目に印刷する印刷装置１０であり、印刷装置１０Ａが、２番目に印刷する印刷装置１０である。
【０１１６】
以上のように、印刷装置１０による印刷の順番に応じて報知音を変えることで、印刷装置１０による印刷の順番によらずに印刷装置１０毎に、ユーザの操作を必要とする事象の発生をユーザに知らせるための音を変える場合と比べて、報知音を聞いたユーザがどこの印刷装置１０に向かえばよいのかが認識しやすくなる。
【０１１７】
各印刷装置１０の報知音制御部２８は、ライン毎に異なる報知音を報知部２４に発生させてもよい。図１を参照して、この動作について詳しく説明する。例えば、ライン１２Ａには、ライン１２Ａを識別するためのライン識別音が対応付けられており、ライン１２Ｂには、ライン１２Ｂを識別するためのライン識別音が対応付けられており、ライン１２Ｃには、ライン１２Ｃを識別するためのライン識別音が対応付けられている。各ライン識別音は、互いに異なる音である。例えば、ライン１２とライン識別音との対応付けを示す情報が、各印刷装置１０の記憶部１８に記憶されている。
【０１１８】
各印刷装置１０の報知音制御部２８は、自装置にてユーザの操作を必要とするエラーが発生した場合、自装置の配置関係に応じた音とライン識別音とを含む報知音を報知部２４に発生させる。報知音は、通常のエラー音やエラーの種類を表す音を含んでもよい。
【０１１９】
また、各ライン１２に順番等の番号が対応付けられており、各ライン識別音は、その番号に対応した音であってもよい。例えば、音の発生回数によって、ライン１２が表現される。
【０１２０】
例えば、ライン１２Ａが１番目のライン１２として定められ、ライン１２Ｂが２番目のライン１２として定められ、ライン１２Ｃが３番目のライン１２として定められている。各ライン１２の番号は、例えば、ユーザによって指定されてもよいし、自動的に設定されてもよい。ライン１２Ａのライン識別音は、ライン１２Ａが１番目のライン１２であることを表す音であり、例えば、１つのブザー音である。つまり、ライン１２Ａを識別するために、ブザー音が１回発生させられる。ライン１２Ｂのライン識別音は、ライン１２Ｂが２番目のライン１２であることを表す音であり、例えば、２つのブザー音である。つまり、ライン１２Ｂを識別するために、ブザー音が２回発生させられる。ライン１２Ｃのライン識別音は、ライン１２Ｃが３番目のライン１２であることを表す音であり、例えば、３つのブザー音である。つまり、ライン１２Ｃを識別するために、ブザー音が３回発生させられる。音の発生回数によってライン１２を表現することで、音を聞いたユーザは、印刷装置１０の位置によらずに印刷装置１０毎に、ユーザの操作を必要とする事象の発生をユーザに知らせるための音を変える場合と比べて、音を聞いたユーザがどこのライン１２にてエラーが発生したのかが認識しやすくなる。
【０１２１】
例えば、２番目のライン１２であるライン１２Ｂにおいて、印刷装置１０Ｃが上流側の印刷装置１０であり、印刷装置１０Ｄが下流側の印刷装置１０であるものとする。この場合において、下流側の印刷装置１０Ｄにてユーザの操作を必要とするエラーが発生した場合、印刷装置１０Ｄの報知音制御部２８は、２つのブザー音と、下流側に対応付けられている音と、通常のエラー音とを含む報知音を、印刷装置１０Ｄの報知部２４に発生させる。これにより、報知部２４は、ブザー音を２回連続して発し、その後、下流側に対応付けられている音を発し、その後、通常のエラー音を発する。他のライン１２についても同様である。もちろん、音の発生回数以外の手法によって、ライン１２が表現されてもよい。例えば、ライン識別音は、ライン１２の番号を表す音声やメロディ等であってもよい。
【０１２２】
ここで、報知音の設定例について説明する。以下に、その設定例を示す。
（１番目のライン１２）
・１番目のライン１２：音＝デフォルト
・・上流側：音＝デフォルト
・・下流側：音＝デフォルト
（２番目のライン１２）
・２番目のライン１２：音＝デフォルト
・・上流側：音：デフォルト
・・下流側：音：自動
（３番目のライン）
・３番目のライン１２：音＝音声ファイルＡ
・・上流側：音＝デフォルト
・・下流側：音＝デフォルト
【０１２３】
「デフォルト」は、報知音の設定値が初期設定時の値であり、報知音が変更されていないことを示している。「自動」は、印刷装置１０が、自装置への報知音の割り当てを自動的に行うことを示している。「音声ファイル」は、エラーが発生したときに発せられる音の音源を示している。また、報知音の設定として「パターン」が設定されてもよい。「パターン」は、印刷装置１０に記憶されている音を報知音として用いることを示している。上記の設定を変更することで、各印刷装置１０から発せられる報知音が変更される。例えば、ユーザによって上記の設定が変更されてもよい。
【０１２４】
同一のラインに属する各処理装置は、互いに同一の機能を有する処理装置であってもよいし、互いに同一の型番やシリーズの処理装置であってもよいし、互いに異なる機能を有する処理装置であってもよいし、互いに異なる型番やシリーズの処理装置であってもよい。いずれの場合であっても、自装置と他の処理装置との配置関係に応じた報知音が発せられる。以下、図７を参照して、同一のラインに属する各処理装置が、互いに異なる機能を有する場合について説明する。
【０１２５】
図７に示すように、モノクロ印刷装置３０Ａとカラー印刷装置３０Ｂとによって、処理装置群であるライン３２Ａが構成され、モノクロ印刷装置３０Ｃと用紙カッター３０Ｄとによって、処理装置群であるライン３２Ｂが構成され、カラー印刷装置３０Ｅと画像検証装置３０Ｆとによって、処理装置群であるライン３２Ｃが構成されている。モノクロ印刷装置３０Ａ、カラー印刷装置３０Ｂ、モノクロ印刷装置３０Ｃ、用紙カッター３０Ｄ、カラー印刷装置３０Ｅ、及び、画像検証装置３０Ｆのそれぞれは、処理装置の一例に相当し、少なくとも、構成情報と報知音設定情報とを記憶する記憶部１８、認識部２２、報知部２４、及び、報知音制御部２８を含む制御部２６を有し、報知音の発生に関して、上述した印刷装置１０と同様に動作する。
【０１２６】
モノクロ印刷装置３０Ａ，３０Ｃは、モノクロで印刷する機能を有しており、カラーで印刷する機能を有していない。カラー印刷装置３０Ｂ，３０Ｅは、モノクロで印刷する機能とカラーで印刷する機能とを有する。用紙カッター３０Ｄは、用紙を切断する装置である。画像検証装置３０Ｆは、用紙に印刷された画像や文字等を読み込んで検証する装置である。
【０１２７】
例えば、ライン３２Ａにおいては、モノクロ印刷装置３０Ａが上流側の処理装置であり、カラー印刷装置３０Ｂが下流側の処理装置である。つまり、モノクロ印刷装置３０Ａがカラー印刷装置３０Ｂよりも先に用紙に画像や文字等を印刷し、カラー印刷装置３０Ｂが、モノクロ印刷装置３０Ａから排出された当該用紙に画像や文字等を印刷する。ライン３２Ｂにおいては、モノクロ印刷装置３０Ｃが上流側の処理装置であり、用紙カッター３０Ｄが下流側の処理装置である。つまり、モノクロ印刷装置３０Ｃが画像や文字等を用紙に印刷し、用紙カッター３０Ｄが、モノクロ印刷装置３０Ｃから排出された当該用紙を切断する。ライン３２Ｃにおいては、カラー印刷装置３０Ｅが上流側の処理装置であり、画像検証装置３０Ｆが下流側の処理装置である。つまり、カラー印刷装置３０Ｅが画像や文字等を用紙に印刷し、画像検証装置３０Ｆが、カラー印刷装置３０Ｅから排出された当該用紙に印刷された画像や文字等を読み込んで検証する。
【０１２８】
図７に示す例において、用紙カッター３０Ｄは、モノクロ印刷装置３０Ｃに対する後処理装置の一例に相当し、画像検証装置３０Ｆは、カラー印刷装置３０Ｅに対する後処理装置の一例に相当する。なお、印刷装置１０よりも上流側に処理装置が設置されてもよい。印刷装置１０よりも上流側に設置された処理装置は、当該印刷装置１０に対する前処理装置の一例に相当する。前処理装置は、例えば、用紙を収容して当該印刷装置１０に用紙を供給する用紙供給装置や、用紙の表面に対してコーティング等の表面処理を印刷前に行う表面処理装置等である。
【０１２９】
また、ライン３２Ａが１番目のライン３２として定められ、ライン３２Ｂが２番目のライン３２として定められ、ライン３２Ｃが３番目のライン３２として定められている。
【０１３０】
例えば、２番目のライン３２であるライン３２Ｂにおいて、下流側の用紙カッター３０Ｄにてユーザの操作を必要とするエラーが発生した場合、用紙カッター３０Ｄの報知音制御部２８は、２つのブザー音と、下流側に対応付けられている音と、通常のエラー音とを含む報知音を、用紙カッター３０Ｄの報知部２４に発生させる。これにより、報知部２４は、ブザー音を２回連続して発し、その後、下流側に対応付けられている音を発し、その後、通常のエラー音を発する。他のライン３２についても同様である。
【０１３１】
上述した実施形態においては、構成位置は処理装置の相対的な位置であるが、構成位置は、処理装置の相対的な位置ではなく、絶対的な位置であってもよい。例えば、絶対的な構成位置は、ＧＰＳ（Global Positioning System）によって定められる座標であってもよいし、緯度と経度とによって定められる座標であってもよいし、処理装置の設置場所を指し示す名称やＩＤ等であってもよい。設置場所を指し示す名称は、例えば、「南側第３エリア」等である。
【０１３２】
例えば、絶対的な構成位置毎に異なる報知音が定められている。ＧＰＳによって定められる座標毎に異なる報知音が定められてもよいし、緯度と経度とによって定められる座標毎に異なる報知音が定められてもよいし、印刷装置１０の設置場所を指し示す名称毎やＩＤごとに異なる報知音が定められてもよい。各印刷装置１０の報知音制御部２８は、自装置にてユーザの操作を必要とするエラーが発生した場合、自装置の絶対的な構成位置に応じた報知音を報知部２４に発生させる。例えば、「南側第３エリア」に設置されている印刷装置１０にてユーザの操作を必要とするエラーが発生した場合、当該印刷装置１０の報知音制御部２８は、「南側第３エリア」に対応付けられている報知音を、当該印刷装置１０の報知部２４に発生させる。
【０１３３】
なお、認識部２２は、自装置及び他の印刷装置１０のそれぞれの絶対的な構成位置と、用紙の搬送方向とに基づいて、自装置の相対的な位置を認識してもよい。その相対的な位置が構成位置として用いられてもよい。
【０１３４】
本実施形態は、印刷に関連する装置以外の装置に適用されてもよい。例えば、複数の検査装置を含む検査システムに本実施形態が適用されてもよい。検査システムにおいては、複数の検査装置が物品を順次検査するように互いに接続されている。上流側の検査装置にてユーザの操作を必要とする操作が発生した場合には、上流側に対応した報知音が上流側の検査装置から発せられる。下流側の検査装置にてユーザの操作を必要とする操作が発生した場合には、下流側に対応した報知音を下流側の検査装置から発せられてもよい。複数の仕分け装置を含み、物品を仕分けする仕分けシステムや、複数の読取装置を含み、物品から情報を順次読み取る読取システム等に、本実施形態が適用されてもよい。
【０１３５】
上記の印刷装置１０の各部の機能は、一例としてハードウェアとソフトウェアとの協働により実現される。具体的には、印刷装置１０は、図示しないＣＰＵ等の１又は複数のプロセッサを備えている。当該１又は複数のプロセッサが、図示しない記憶装置に記憶されたプログラムを読み出して実行することで、印刷装置１０の各部の機能が実現される。上記プログラムは、ＣＤ又はＤＶＤ等の記録媒体を経由して、又は、ネットワーク等の通信経路を経由して、記憶装置に記憶される。別の例として、印刷装置１０の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、印刷装置１０の各部の機能は、ＤＳＰ（Digital Signal Processor）又はＦＰＧＡ（Field Programmable Gate Array）等によって実現されてもよい。
【符号の説明】
【０１３６】
１０Ａ，１０Ｂ，１０Ｃ，１０Ｄ，１０Ｅ，１０Ｆ  印刷装置、１２Ａ，１２Ｂ，１２Ｃ  ライン、２２  認識部、２４  報知部、２８  報知制御部。
【図１】
2020131432.tif 000003
【図２】
2020131432.tif 000004
【図３】
2020131432.tif 000005
【図４】
2020131432.tif 000006
【図５】
2020131432.tif 000007
【図６】
2020131432.tif 000008
【図７】
2020131432.tif 000009